(57)【要約】【課題】未知の速度において記録を行う場合，記録に先立ち記録調整が必要であり，記録開始までに時間を要する。そのため，連続的に記録速度が変化するＣＡＶで高速な記録を実現することが困難である。【解決手段】媒体の熱特性に基づき記録速度と最適記録パワーを関係づける近似式を決定し，近似式を用いて現在の記録速度における最適記録パワーを算出し，算出した最適記録パワーを用いて記録を行うことで，記録を中断することなく，ＣＡＶによる高速記録を実現する。【選択図】図１５
2013175248.tif 000002
【特許請求の範囲】
【請求項１】
光情報記録媒体に記録を行うレーザ光の記録パワーを調整する方法であって，
各記録速度ｖにおける最適記録パワーＰを算出するステップと，
基準とする記録速度ｖ１と，前記記録速度ｖ１における最適記録パワーＰ１を用いて，記録速度比ｖ／ｖ１及び最適記録パワー比Ｐ／Ｐ１を算出するステップと，
前記記録速度比ｖ／ｖ１と前記最適記録パワー比Ｐ／Ｐ１を，近似式Ｐ／Ｐ１＝（ｖ／ｖ１）n又はＰ／Ｐ１＝（ｖ／ｖ１）n＋α3でフィッティングすることによってパラメータｎ又はｎ，α3を決定するステップと，
目標記録速度ｖ，前記記録速度ｖ１，前記最適記録パワーＰ１及び前記パラメータｎ又はｎ，α3を用いて，前記近似式Ｐ／Ｐ１＝（ｖ／ｖ１）n又はＰ／Ｐ１＝（ｖ／ｖ１）n＋α3から目標最適記録パワーＰを算出するステップと，
前記目標最適記録パワーＰを前記目標記録速度ｖにおける記録パワーに設定するステップと，
を有することを特徴とする記録パワー調整方法。
【請求項２】
請求項１記載の記録パワー調整方法において，
各記録速度ｖにおける最適記録パワーＰを算出する前記ステップは，
記録波形をキャッスル型とし，
前記記録波形における最大記録パワーをＰｗとし，前記記録パワーＰｗの次に高い記録パワーをＰｍとし，
前記記録波形のチャネルクロック長Ｔを前記各記録速度に比例させるステップと，
前記記録パワーＰｗに比例して少なくとも前記記録パワーＰｍを変更するステップと，
前記各記録速度において複数種類の前記記録パワーＰｗを用いて信号を記録するステップと，
前記信号の品質が最も良好となる前記記録パワーＰｗを前記最適記録パワーＰと決定するステップと，
を含むことを特徴とする記録パワー調整方法。
【請求項３】
請求項１記載の記録パワー調整方法において，
各記録速度ｖにおける最適記録パワーＰを算出する前記ステップは，
記録波形をマルチパルスとし，
前記記録波形における最大記録パワーをＰｗとし，前記記録パワーＰｗの次に高い記録パワーをＰｓとし，
前記記録波形のチャネルクロック長Ｔを前記各記録速度に比例させるステップと，
前記記録波形の前記記録パワーＰｗに比例して少なくとも前記記録パワーＰｍを変更するステップと，
前記各記録速度において複数種類の前記記録パワーＰｗを用いて信号を記録するステップと，
前記信号の品質が最も良好となる前記記録パワーＰｗを前記最適記録パワーＰと決定するステップと，
を含むことを特徴とする記録パワー調整方法。
【請求項４】
請求項１記載の記録パワー調整方法において，
近似式Ｐ／Ｐ１＝（ｖ／ｖ１）nのパラメータｎを決定するステップは，
前記記録速度比ｖ／ｖ１の対数と前記最適記録パワー比Ｐ／Ｐ１の対数を直線近似するステップと，
前記近似直線の傾きを前記パラメータｎと決定するステップと，
を含むことを特徴とする記録パワー調整方法。
【請求項５】
光情報記録媒体に記録を行うレーザ光の記録パワーを調整する方法であって，
各記録速度ｖにおける最適記録パワーＰを算出するステップと，
前記記録速度ｖと前記最適記録パワーＰを近似式Ｐ＝α1×ｖn又はＰ＝α1×ｖn＋α2でフィッティングすることによってパラメータα1，ｎ又はα1，ｎ，α2を決定するステップと，
目標記録速度ｖ及び前記パラメータα1，ｎ又はα1，ｎ，α2を用いて，前記近似式Ｐ＝α1×ｖn又はＰ＝α1×ｖn＋α2から目標最適記録パワーＰを算出するステップと，
前記目標最適記録パワーＰを前記目標記録速度ｖにおける記録パワーに設定するステップと，
を有することを特徴とする記録パワー調整方法。
【請求項６】
請求項５記載の記録パワー調整方法において，
各記録速度ｖにおける最適記録パワーＰを算出する前記ステップは，
記録波形をキャッスル型とし，
前記記録波形における最大記録パワーをＰｗとし，前記記録パワーＰｗの次に高い記録パワーをＰｍとし，
前記記録波形のチャネルクロック長Ｔを前記各記録速度に比例させるステップと，
前記記録パワーＰｗに比例して少なくとも前記記録パワーＰｍを変更するステップと，
前記各記録速度において複数種類の前記記録パワーＰｗを用いて信号を記録するステップと，
前記信号の品質が最も良好となる前記記録パワーＰｗを前記最適記録パワーＰと決定するステップと，
を含むことを特徴とする記録パワー調整方法。
【請求項７】
請求項５記載の記録パワー調整方法において，
各記録速度ｖにおける最適記録パワーＰを算出する前記ステップは，
記録波形をマルチパルスとし，
前記記録波形における最大記録パワーをＰｗとし，前記記録パワーＰｗの次に高い記録パワーをＰｓとし，
前記記録波形のチャネルクロック長Ｔを前記各記録速度に比例させるステップと，
前記記録波形の前記記録パワーＰｗに比例して少なくとも前記記録パワーＰｍを変更するステップと，
前記各記録速度において複数種類の前記記録パワーＰｗを用いて信号を記録するステップと，
前記信号の品質が最も良好となる前記記録パワーＰｗを前記最適記録パワーＰと決定するステップと，
を含むことを特徴とする記録パワー調整方法。
【請求項８】
請求項５記載の記録パワー調整方法において，
近似式Ｐ＝α1×ｖnのパラメータα1，ｎを決定するステップは，
前記記録速度比ｖ／ｖ１の対数と前記最適記録パワー比Ｐ／Ｐ１の対数を直線近似するステップと，
前記近似直線の傾きを前記パラメータｎと，前記近似直線のＰ／Ｐ１切片を前記パラメータα1の対数と決定するステップと，
を含むことを特徴とする記録パワー調整方法。
【請求項９】
光情報記録媒体に記録を行うレーザ光の記録パワーを調整する方法であって，
各記録速度ｖにおける最適記録パワーＰを算出するステップと，
基準とする記録速度ｖ１と，当該記録速度ｖ１における最適記録パワーＰ１を用いて，記録速度比ｖ／ｖ１及び最適記録パワー比Ｐ／Ｐ１を算出するステップと，
前記記録速度比ｖ／ｖ１と前記最適記録パワー比Ｐ／Ｐ１を，近似式Ｐ／Ｐ１＝（ｖ／ｖ１）n又はＰ／Ｐ１＝（ｖ／ｖ１）n＋α3でフィッティングすることによってパラメータｎ又はｎ，α3を決定するステップと，
を含むことを特徴とする記録パワー調整方法。
【請求項１０】
光情報記録媒体に記録を行うレーザ光の記録パワーを調整する方法であって，
各記録速度ｖにおける最適記録パワーＰを算出するステップと，
前記記録速度ｖと前記最適記録パワーＰを近似式Ｐ＝α1×ｖn又はＰ＝α1×ｖn＋α2でフィッティングすることによってパラメータα1，ｎ又はα1，ｎ，α2を決定するステップと，
を含むことを特徴とする記録パワー調整方法。
【請求項１１】
記録速度ｖにおける最適記録パワーをＰとし，基準となる記録速度ｖ１における最適記録パワーをＰ１とし，
記録速度比ｖ／ｖ１と最適記録パワー比Ｐ／Ｐ１の関係を表す近似式Ｐ／Ｐ１＝（ｖ／ｖ１）n又はＰ／Ｐ１＝（ｖ／ｖ１）n＋α3の前記記録速度ｖ１及び前記最適記録パワーＰ１及びパラメータｎ又はｎ，α3を光情報記録媒体又は情報記録再生装置から読み出すステップと，
目標記録速度ｖ，並びに読み出した前記記録速度ｖ１，前記最適記録パワーＰ１及び前記パラメータｎ又はｎ，α3を用いて，前記近似式Ｐ／Ｐ１＝（ｖ／ｖ１）n又はＰ／Ｐ１＝（ｖ／ｖ１）n＋α3から目標最適記録パワーＰを算出するステップと，
前記目標最適記録パワーＰを前記目標記録速度ｖにおける記録パワーに設定するステップと，
前記設定した記録パワーで前記光情報記録媒体に記録を行うステップと，
を有することを特徴とする記録パワー調整方法。
【請求項１２】
記録速度ｖにおける最適記録パワーをＰし，
前記記録速度ｖと前記最適記録パワーＰの関係を表す近似式Ｐ＝α1×ｖn又はＰ＝α1×ｖn＋α2のパラメータα1，ｎ又はα1，ｎ，α2を光情報記録媒体又は情報記録再生装置から読み出すステップと，
目標記録速度ｖ，並びに読み出した前記パラメータα1，ｎ又はα1，ｎ，α2を用いて，前記近似式Ｐ＝α1×ｖn又はＰ＝α1×ｖn＋α2から目標最適記録パワーＰを算出するステップと，
前記目標最適記録パワーＰを前記目標記録速度ｖにおける記録パワーに設定するステップと，
前記設定した記録パワーで前記光情報記録媒体に記録を行うステップと，
を有することを特徴とする記録パワー調整方法。
【請求項１３】
データ領域と管理領域を有する光情報記録媒体において，
記録速度ｖにおける最適記録パワーをＰとし，基準となる記録速度ｖ１における最適記録パワーをＰ１とするとき，
記録速度比ｖ／ｖ１と最適記録パワー比Ｐ／Ｐ１の関係を表す近似式Ｐ／Ｐ１＝（ｖ／ｖ１）n又はＰ／Ｐ１＝（ｖ／ｖ１）n＋α3の前記記録速度ｖ１及び最適記録パワーＰ１及びパラメータｎ又はｎ，α3が前記管理領域に記録されていることを特徴とする光情報記録媒体。
【請求項１４】
データ領域と管理領域を有する光情報記録媒体において，
記録速度ｖにおける最適記録再生パワーをＰとするとき，
前記記録速度ｖと前記最適記録パワーＰの関係を表す近似式Ｐ＝α1×ｖn又はＰ＝α1×ｖn＋α2のパラメータα1，ｎ又はα1，ｎ，α2が前記管理領域に記録されていることを特徴とする光情報記録媒体。
【請求項１５】
光情報記録媒体にレーザ光を照射して記録を行う情報記録装置であって，
各記録速度ｖにおける最適記録パワーＰを算出し，
基準とする記録速度ｖ１と，前記記録速度ｖ１における最適記録パワーＰ１を用いて，記録速度比ｖ／ｖ１及び最適記録パワー比Ｐ／Ｐ１を算出し，
前記記録速度比ｖ／ｖ１と前記最適記録パワー比Ｐ／Ｐ１を近似式Ｐ／Ｐ１＝（ｖ／ｖ１）n又はＰ／Ｐ１＝（ｖ／ｖ１）n＋α3でフィッティングすることによってパラメータｎ又はｎ，α3を決定し，
目標記録速度ｖ，並びに前記記録速度ｖ１，前記最適記録パワーＰ１及び前記パラメータｎ又はｎ，α3を用いて，前記近似式Ｐ／Ｐ１＝（ｖ／ｖ１）n又はＰ／Ｐ１＝（ｖ／ｖ１）n＋α3から目標最適記録パワーＰを算出し，
前記目標最適記録パワーＰを前記目標記録速度ｖにおける記録パワーに設定し，
前記設定した記録パワーのレーザ光で前記光情報記録媒体に記録を行う，
ことを特徴とする情報記録装置。
【請求項１６】
光情報記録媒体にレーザ光を照射して記録を行う情報記録装置であって，
各記録速度ｖにおける最適記録パワーＰを算出し，
前記記録速度ｖと前記記録パワーＰを近似式Ｐ＝α1×ｖn又はＰ＝α1×ｖn＋α2でフィッティングすることによってパラメータα1，ｎ又はα1，ｎ，α2を決定し，
目標記録速度ｖ及び前記パラメータα1，ｎ又はα1，ｎ，α2を用いて，前記近似式Ｐ＝α1×ｖn又はＰ＝α1×ｖn＋α2から目標最適記録パワーＰを算出し，
前記目標最適記録パワーＰを前記目標記録速度ｖにおける記録パワーに設定し，
前記設定した記録パワーのレーザ光で前記光情報記録媒体に記録を行う，
ことを特徴とする情報記録装置。
【請求項１７】
光情報記録媒体にレーザ光を照射して記録を行う情報記録装置であって，
記録速度ｖにおける最適記録パワーをＰとし，基準となる記録速度ｖ１における最適記録パワーをＰ１とするとき，
記録速度比ｖ／ｖ１と最適記録パワー比Ｐ／Ｐ１の関係を表す近似式Ｐ／Ｐ１＝（ｖ／ｖ１）n又はＰ／Ｐ１＝（ｖ／ｖ１）n＋α3の前記記録速度ｖ１及び前記最適記録パワーＰ１及びパラメータｎ又はｎ，α3を光情報記録媒体の管理領域あるいは当該光情報記録媒体に記録を行う情報記録装置から読み出し，
目標記録速度ｖ，並びに読み出した前記記録速度ｖ１，前記最適記録パワーＰ１及び前記パラメータｎ又はｎ，α3を用いて，前記近似式Ｐ／Ｐ１＝（ｖ／ｖ１）n又はＰ／Ｐ１＝（ｖ／ｖ１）n＋α3から目標最適記録パワーＰを算出し，
前記目標最適記録パワーＰを前記目標記録速度ｖにおける記録パワーに設定し，
前記設定した記録パワーのレーザ光で前記光情報記録媒体に記録を行う，
ことを特徴とする情報記録装置。
【請求項１８】
光情報記録媒体にレーザ光を照射して記録を行う情報記録装置であって，
記録速度ｖにおける最適記録パワーをＰとするとき，
前記記録速度ｖと前記最適記録パワーＰの関係を表す近似式Ｐ＝α1×ｖn又はＰ＝α1×ｖn＋α2のパラメータα1，ｎ又はα1，ｎ，α2を光情報記録媒体の管理領域あるいは当該光情報記録媒体に記録を行う情報記録装置から読み出し，
目標記録速度ｖ，並びに読み出した前記パラメータα1，ｎ又はα1，ｎ，α2を用いて，前記近似式Ｐ＝α1×ｖn又はＰ＝α1×ｖn＋α2から目標最適記録パワーＰを算出し，
前記目標最適記録パワーＰを前記目標記録速度ｖにおける記録パワーに設定し，
前記設定した記録パワーで前記光情報記録媒体に記録を行う，
ことを特徴とする情報記録装置。
【発明の詳細な説明】
【技術分野】
【０００１】
本発明は，記録パワーを調整する記録パワー調整方法，ならびに当該記録パワー調整方法を実施する情報記録再生装置に関する。
【背景技術】
【０００２】
現在，光情報記録媒体である光ディスクとして，ＣＤ（Compact Disc），ＤＶＤ（Digital Versatile Disc），ＢＤ（Blu-ray Disc），ＢＤＸＬなどが商品化されている。これら光ディスクには，再生専用型であるＲＯＭ型（Read Only Memory），追記型であるＲ型（Recordable），書き換え型であるＲＥ型（Rewritable）などの種類がある。光ディスクのデータ容量はＣＤ（６５０ＭＢ），ＤＶＤ（単層４．７ＧＢ），ＢＤ（２５ＧＢ）と大容量化が進められた。これらは主に光源の短波長化と対物レンズのＮＡを増加させることで実現された。一方，近年商品化されたＢＤＸＬでは，ＢＤをベースにデータ層を３〜４層に多層化し，信号処理により一層当たりの面密度を３２〜３３．４ＧＢに増加させることで，ディスク一枚当たり最大１２８ＧＢの大容量化が実現された。今後の大容量化では，光源の短波長化や対物レンズのＮＡ増加が困難なことから，更なる多層化及び高密度化が検討されている。
【０００３】
光ディスクにおける情報の記録再生は，光情報記録再生装置である光ディスク装置が光ディスクに対してレーザ光を照射することによって行われる。情報の再生は，光ディスクのデータ層に低いパワーのレーザ光を照射し，照射位置毎の反射光量の違いを検出することで行う。また，情報の記録は，高いパワーのレーザ光を用いて，データ層に光学特性の変化したマークを形成することで行う。
【０００４】
情報の再生ではデータ層のマークを反射光量の変化として読み取るが，この再生信号のＳＮＲ（Signal to Noise Ratio）は再生パワーによって変化する。ＳＮＲを増加させ，再生信号品質を改善するには，高い再生パワーを用いた再生が望ましいが，再生パワーが高過ぎる場合，記録信号を劣化させる可能性がある。そこで，光ディスク装置は再生速度に応じて信号を劣化させない範囲で再生パワーを調整する機能を有している。
【０００５】
例えば特許文献１には，再生速度変更中においても常に再生信号品質を劣化させることなく再生を可能とする，再生パワー調整方法が開示されている。この方法では，予め目標再生速度と現在の再生速度の比から現在の再生パワーを決定するためのレーザパワー設定用テーブルを取得しておく。再生速度変更中に，現在の再生速度と目標再生速度を用いて，レーザパワー設定用テーブルから現在の再生パワーを決定して再生を行う。これにより，再生速度変更中においても再生パワーは段階的に変更されるため，記録信号を劣化させることなく常に良好な再生が実現される。
【０００６】
また，例えば特許文献２には，光学分解能以下のマークを再生可能とする超解像媒体における再生速度変更時の再生パワー調整方法が開示されている。この方法では，予め２つの再生速度における最適再生パワーを決定しておき，再生速度と最適再生パワーの関係を線形補間することで，各再生速度における最適再生パワーのテーブルを作成する。再生時，作成したテーブルから現在の再生速度における最適再生パワーを決定することで，常に良好な再生が実現される。本再生パワー調整方法は，再生信号のＳＮＲを改善するというよりも，媒体に設けられた超解像膜の温度を調整することで，超解像効果が最も得られる状態を維持する為に用いられる。
【０００７】
情報の記録において，最適記録パワーは光ディスクの種別や光ディスク作製メーカーに応じて異なっており，ドライブは光ディスクの種類に応じて最適記録パワーを設定する必要がある。しかし，同じ種類の光ディスクであっても，作製ばらつきによって光ディスク毎に最適記録パワーが異なり，同じ記録パワーでは最適な記録が実現できない場合がある。また，同じ光ディスクを用いた場合にも，ドライブ間でのパワーのばらつきによって，同じ設定パワーでは最適な記録が実現できない場合がある。そこで，各ドライブは光ディスクの記録に先立ち，所定の領域に試し書きを行い，当該光ディスクに応じた最適な記録パワーを調整する構成を備えている。この記録における記録パワーの調整動作は，ＯＰＣ（Optimum Power Control）と呼ばれる。このＯＰＣによって各光ディスク装置は良好な情報の記録を実現している。
【０００８】
上述のＯＰＣとは異なり，ＣＡＶ（Constant Angular Velocity）記録を実現するための記録パワー調整方法が特許文献３に開示されている。この方法では，ディスクの半径方向に沿って記録領域を分割し，領域毎に記録条件を変更することでＣＡＶ記録を実現している。ここで，各領域における記録パワーは記録速度に比例させ，各領域の記録信号の品質に基づいて補正を行う。また，記録波形も記録速度に応じて補正を行う。
【先行技術文献】
【特許文献】
【０００９】
【特許文献１】特開２００１−３８１３５４号公報
【特許文献２】特開２００５−１３５５３８号公報
【特許文献３】特開２００１−３４０９号公報
【発明の概要】
【発明が解決しようとする課題】
【００１０】
しかしながら，媒体の熱特性によっては，特許文献３の記録パワー調整方法を用いてもＣＡＶ記録が実現できない場合がある。例えば，図１Ａの記録波形を用いてＣＡＶ記録を行う場合を想定する。図１Ａの記録波形はマルチパルスと呼ばれ，パルス照射によってマークを形成する。マルチパルスに用いられる記録パワーは複数あり，高い方からＰｗ，Ｐｓ，Ｐｃ，Ｐｂ（又はＰｂ，Ｐｃ）と指標づけられる。各線速において，記録波形のチャネルビット長１Ｔは線速に比例して増減させ，Ｐｗ／Ｐｓ比は一定とし，ＰｃとＰｂは固定値とした。各線速における最適記録パワーを決定した結果を図２に示す。図２の測定に用いた媒体においては，記録速度と最適記録パワーＰｗの関係は曲線であり，直線近似できないことが分かる。図２の結果は使用する記録波形に依るものではなく，図１Ｂのモノパルス，Ｌ型，キャッスル型の記録波形を用いた場合でも同様である。これらの波形は，（前後エッジを除き）一定のパワーを照射することで，一定の熱を媒体に与え続けて記録マークを形成する方式であり，使用する記録パワーは高い方からＰｗ，Ｐｍ，Ｐｓ，Ｐｃと指標づけられる。特に，後エッジのパルスが無くなった波形をＬ型と呼び，前後エッジ両方のパルスが無くなった波形（Ｐｍ無しの状態）をモノパルスと呼ぶ。
【００１１】
この媒体に対し，２ｘと６ｘ又は２ｘと１２ｘの最適記録パワーを直線近似することによって，他の記録速度における記録パワーを決定し，記録を行った結果を図３に示す。図３の横軸は記録速度，縦軸はｂＥＲ（bit Error Rate）である。図３には，最適記録パワーで記録した場合についても示してある。直線近似によって記録パワーを算出した場合，未知の線速における記録パワーを正しく算出できておらず，結果として信号品質が劣化していることが分かる。従って，記録速度と最適記録パワーの関係は媒体の熱特性によって変化するため，直線近似によっては最適記録パワーを決定できず，ＣＡＶ記録を実現できない場合がある。
【００１２】
算出される記録パワーのずれを補償するために，特許文献３には，各記録領域を記録した後，記録信号を再生することで記録パワーの過不足を検出する方法が開示されている。かかる方法によってＣＡＶ記録は実現されるが，各領域で一定の記録波形及び記録パワーを用いているため，領域内での信号品質のばらつきが必ず残留する。また，記録した信号を再生し，記録パワーを補償するため，ＣＡＶ記録は随時中断され，高速な記録が実現できない。従って，従来のＣＡＶ記録方法では，媒体の熱特性によっては，高速記録と良好な信号品質を実現することが困難な場合がある。
【００１３】
本発明は，上述した課題を解決し，各媒体における最良のＣＡＶ記録方法を提供する記録パワー調整方法，記録パワー調整に用いる情報を保持した情報記録媒体及び情報記録再生装置，ならびに当該記録パワー調整方法を実施する情報記録再生装置を提供する。
【課題を解決するための手段】
【００１４】
上記課題は，記録速度と最適記録パワーの関係の近似式を媒体の熱特性に基づいて決定し，決定した近似式を用いて各記録速度における記録パワーを決定し，決定した記録パワーを用いてＣＡＶ記録を行う，本発明の記録パワー調整方法を用いることで解決される。
【００１５】
近似式としては，下記の式(1)〜(4)が用いられる。
【数１】
2013175248.tif 000003
【００１６】
ここで，Ｐは記録パワー，ｖは記録速度，Ｐ１は基準となる記録パワー，ｖ１は基準となる記録速度，ｎ，α1，α2，α3は定数である。
【００１７】
記録パワー調整では，パラメータを決定した近似式(1)〜(4)に記録速度を代入し，記録パワーを算出し，算出した記録パワーで記録を実施する。これにより，各媒体の熱特性に基づいて，各線速に応じた記録パワーを連続して決定，変更できるため，ＣＡＶでの最適な記録が実現される。
【００１８】
決定された近似式のパラメータは，光ディスクの管理領域あるいは光ディスク装置の記憶部に記憶しておくことで，ＣＡＶ記録のための試し書きが不要となり，ＣＡＶ記録を迅速に開始可能である。
【発明の効果】
【００１９】
本発明の記録パワー調整方法によれば，各媒体の熱特性に基づいた記録パワー調整によって，高速な記録及び良好な記録信号品質を与えるＣＡＶ記録が実現可能である。
【００２０】
上記した以外の，課題，構成及び効果は，以下の実施形態の説明により明らかにされる。
【図面の簡単な説明】
【００２１】
【図１Ａ】ＣＡＶ記録に用いる記録波形を示す，一例の図。
【図１Ｂ】ＣＡＶ記録に用いる記録波形を示す，一例の図。
【図２】記録速度と最適記録パワー，及び２つの最適記録パワーから線形補間によって決定した記録パワーを示す，一例の図。
【図３】各記録速度において，最適記録パワー及び線形補間によって決定した記録パワーを用いて記録を行った信号のエラー率の測定結果を示す，一例の図。
【図４】本発明の実施例に関わる光ディスク装置を示す，一例のブロック図。
【図５】本発明の実施例に関わる光ディスク装置の制御部を示す，一例のブロック図。
【図６】記録パワー調整の手順を示す，一例のフローチャート。
【図７】各記録速度における記録パワーとエラー率の関係を表す，一例の図。
【図８】各記録波形における記録速度とエラー率の関係を表す，一例の図。
【図９】Ｐｗ又はＰｗとＰｓ又はＰｗとＰｓとＰｂのパワーレベルを調整した場合における，記録速度とエラー率の関係を表す，一例の図。
【図１０】記録速度と最適記録パワーの関係を表す，一例の図。
【図１１】記録速度比と最適記録パワー比の関係を表す，一例の図。
【図１２】媒体の熱特性に関するパラメータη(ｖ)の記録速度に対する変化を表す，一例の図。
【図１３】記録時におけるトラック方向の媒体温度分布を示す，一例の図。
【図１４】記録速度の対数と最適記録パワーの対数の関係を表す，一例の図。
【図１５】記録パワー調整によって算出した記録パワーと最適記録パワーの関係を表す，一例の図。
【図１６】記録パワー調整によって決定した記録パワーを用いて記録を行った場合における，記録速度とエラー率の関係を表す，一例の図。
【図１７】本発明の記録パワー調整を用いてＣＡＶ記録を行った場合における，記録半径位置とエラー率の関係を表す，一例の図。
【図１８】光ディスクの管理情報，及び管理情報内の情報構造を示す，一例の模式図。
【図１９】記録速度比の対数と最適記録パワー比の対数の関係を表す，一例の図。
【図２０】記録波形にマルチパルス，モノパルス，Ｌ型，キャッスル型を用い，各記録波形において記録速度に応じて変更する記録パワーを変化させた場合の，記録速度とエラー率の関係を表す，一例の図。
【図２１】記録パワー調整における記録速度と最適記録パワーの関係の近似式に式(1)〜(4)を用い，ＣＡＶ記録を行った場合の，半径位置とエラー率の関係を表す，一例の図。
【発明を実施するための形態】
【００２２】
本発明の実施例としての記録パワー調整方法を，図面を参照しながら説明する。以下では，光ディスク装置の構成を説明したうえで，本発明の実施例として光ディスク装置における記録パワーの調整方法を説明する。
【００２３】
［実施例１］
本実施例で使用する光ディスク装置の要部ブロック図を図４に示す。光ディスク１０はスピンドルモータ１２によって回転し，ＣＬＶ（Constant Linear Velocity）又はＣＡＶ（Constant Angular Velocity）制御される。光ディスク１０に対向して光ピックアップ部１４が設けられ，レーザダイオード（ＬＤ）からレーザ光１６を照射することによって光ディスク１０の記録再生が行われる。
【００２４】
信号を記録する場合，記録パワーのレーザ光１６が光ディスク１０に照射され，信号が書き込まれる。光ディスク１０が書き換え可能な光ディスクである場合には，消去パワーのレーザ光１６を光ディスク１０に照射することによって，信号を消去する。記録信号はエンコーダ１８にてエンコードされ，ＬＤ駆動部２０に供給される。ＬＤ駆動部２０は，エンコードされた記録信号に基づき駆動信号を生成し，光ピックアップ部１４のＬＤに供給し，供給された信号に基づくレーザ光１６の強度変調によって信号が記録される。ＬＤ駆動部２０における記録パワーは，制御部２２からの制御信号により決定される。制御部２２は，信号の記録に先立ち光ディスク１０の試し書き領域において行われる試し書きの信号品質に基づいて最適記録パワーを決定する（ＯＰＣ：Optimum Power Control）。
【００２５】
信号を再生する場合，再生パワーのレーザ光１６が光ディスク１０に照射され，信号が再生される。光ディスク１０で反射したレーザ光１６は光ピックアップ部１４のフォトディテクタにて電気信号に変換され，所定の演算後にＲＦ信号等として出力される。光ピックアップ部からの信号はＲＦ信号処理部（及びレベル取得部）２４に供給される。ＲＦ信号処理部２４はＲＦアンプ，イコライザ，二値化器，ＰＬＬ等の機能を有し，ＲＦ信号をこれらで処理してデコーダ２６に供給する。デコーダ２６では，二値化されたＲＦ信号とＰＬＬにて再生された同期クロックに基づき信号をデコードし，再生データとして出力する。ＲＦ処理部２４はレベル検出器も有し，再生信号の上部包括線（High envelope）や下部包括線（Low envelope）等を算出し，信号評価用の信号として制御部２２に供給する。また，ＲＦ信号処理部２４からはＲＦ信号が，信号評価用の信号として制御部２２に供給される。なお，記録再生時に，フォーカスエラー信号やトラッキングエラー信号を生成し，フォーカスサーボやトラッキングサーボを制御する回路，光ディスク１０に形成されたウォブル信号を再生してアドレス復調あるいは光ディスク１０の回転制御を行う回路もあるが，これらは従来技術と同様であるため説明を省略する。
【００２６】
制御部２２は，レベル算出部及びＲＦ信号処理部２４から供給される信号に基づいて再生パワー調整及び記録パワー調整を行い，調整結果であるパワー制御信号をＬＤ駆動部２０に供給する機能を有する。制御部２２において，記録パワー調整及び再生パワー調整に関わる機能のブロック図を図５に示す。制御部２２は，具体的にはマイコンで構成され，その機能ブロックとして，信号品質算出部，最適記録パワー（Ｐｗ）決定部，パワー調整方法決定部，パワー調整パラメータ算出部，パワー算出部，記憶部を有している。記憶部はＲＡＭで構成することができ，他の機能ブロックは単一のＣＰＵで構成することが可能である。
【００２７】
ＯＰＣの最適記録パワー決定は制御部２２で行われる。複数種類の記録パワーを用いて記録された試し書き信号を再生し，信号品質算出部で各記録パワーにおけるる変調度を算出し，変調度と記録パワーを関連付けて記憶部に記憶する。最適記録パワー決定部では，記憶部における記録パワーと変調度の関係，及び図示しない経路にて取得される光ディスクの管理情報に基づいて最適記録パワーを決定する。決定した最適記録パワーは，パワー制御信号としてＬＤ駆動部２０に供給され，記録に用いられる。
【００２８】
また，制御部２２では，ＣＡＶ記録時における記録パワー調整も行われる。予め記憶部に取得されている記録速度と最適記録パワーの近似式を用い，現在の記録速度に基づいて最適記録パワーを算出し，パワー制御信号としてＬＤ駆動部２０に供給する。記憶部の近似式は光ディスク装置が予め保持しているか，又は光ディスク媒体の管理領域から取得する場合がある。また，ＣＡＶ記録に先立ち，制御部２２において記録速度と最適記録パワーの近似式を決定する場合もある。その場合，各記録速度で試し書きを行い，試し書きの結果に基づき，使用する記録速度において良好な信号品質を与える記録パワー調整方法及び記録速度と最適記録パワーの近似式を決定し，光ディスク装置の記憶部に記憶する。また，決定した記録パワー調整方法及び近似式は光ディスク媒体の管理領域に記憶しておく場合もある。
【００２９】
ここで，パワー調整方法とは，基本とする記録波形，線速に応じた記録波形の制御方法，線速に応じて変更するパワーレベルを指す。また，信号品質としては，ｂＥＲ（bit Error Rate）やＳＥＲ（Symbol Error Rate），各光ディスク規格における信号品質指標であるJitter，ｉ−ＭＬＳＥ（integrated-Maximum Likelihood Sequence Error），Ｌ−ＳＥＡＴ（run-length-Limited Sequence Error for Adaptive Target）等が用いられる。パワー調整方法決定部は，各線速の信号品質に基づいて記録パワー調整に用いるパワー調整方法を決定する。パワー調整パラメータ算出部では，決定したパワー調整方法における記録速度と記録パワーの関係からこの関係の近似式のパラメータを算出し，記憶部に記憶する。
【００３０】
以下では，上記光ディスク装置を用いたＣＡＶ記録において，図６のフローに従って記録パワー調整を行った結果について述べる。まず，光ディスクの試し書き領域又はユーザデータ領域に試し書きを行い，各記録速度における最適記録パワーの算出を行った（Ｓ１０）。記録条件として，本実施例では記録波形に図１Ａのマルチパルスを用いた。記録波形のチャネルビット長１Ｔは記録速度に比例して増減させた。また，記録速度に依らず記録パワーＰｂとＰｃの値，及びＰｗとＰｓの比は一定とした。各線速で記録パワーとエラー率（ｂＥＲ：bit Error Rate）の関係を測定した結果を図７に示す。ここで，信号品質の指標は上述したようにｂＥＲ，ＳＥＲ，Jitter，ｉ−ＭＬＳＥ，Ｌ−ＳＥＡＴ等があるが，何れの指標もｂＥＲと高い相関があるため，どの指標を用いても図７と同様な結果が得られる。
【００３１】
図７の各記録速度において最も低いｂＥＲを与える記録パワーを最適記録パワーとして決定した。各記録速度の最適記録パワーにおけるｂＥＲをプロットした結果を図８のＷＳ１に示す。記録パワー調整における記録波形，その調整方法を決定するために，図８にはパワー調整方法を変更し，マルチパルスを１／１６Ｔ増加させた記録波形を用いた場合（ＷＳ２），及び図１Ｂのキャッスル型の記録波形を用いた場合（ＷＳ３）の測定結果も示す。各記録速度に応じたチャネルビット長の調整はＷＳ１と同じであり，ＷＳ２の記録パワーＰｗ，Ｐｓ，Ｐｂ，Ｐｃの調整方法もＷＳ１と同じとした。ＷＳ３の記録パワーに関しては，Ｐｗ，Ｐｍ，Ｐｓの比は一定とし，Ｐｃは固定値とした。各記録速度で良好な記録信号品質が得られる記録波形とその調整方法はＷＳ１であるため，本実施例ではＷＳ１の記録波形とその調整方法を記録パワー調整に用いることとした。
【００３２】
記録パワー調整において調整するパワーレベルを決定するために，ＷＳ１について，調整するパワーレベルがＰｗのみ，ＰｗとＰｓ（比率固定），ＰｗとＰｓとＰｂ（比率固定）とした場合における，各記録速度と記録信号品質の関係を測定した結果を図９に示す。ここから，Ｐｗのみを調整した場合では記録速度に対して適切な調整ができておらず，記録信号品質が劣化してしまうことが分かる。一方，少なくともＰｗとＰｓを調整すれば記録速度に対して適切な調整ができていることが分かる。そこで，本実施例の記録パワー調整ではＰｗとＰｓの比率を一定とし，これらを調整することとした。以上の記録パワー調整におけるパワー調整方法の決定は，図５のパワー調整方法決定部で行われる。
【００３３】
決定したパワー調整方法における，記録速度と最適記録パワーの関係を図１０に示す。また，記録速度を２ｘで規格化し，記録パワーを２ｘにおける最適記録パワーで規格化した結果を図１１に示す。図１０又は図１１に基づき，図６の続くステップＳ１１では近似式のパラメータの決定を行う。
【００３４】
ここでまず，記録速度と記録パワーの関係に基づく，近似式の導出方法について説明する。記録速度ｖにおいて，パワーＰのレーザ光が照射された場合，媒体の温度上昇量ΔＴは式(5)で近似される。
【００３５】
【数２】
2013175248.tif 000004
【００３６】
ここで，β1，β2は定数であり，Δｔは単位長さ当たりにレーザが照射される時間であり１／ｖに比例する。また，η(ｖ)は媒体の熱拡散特性に関する係数であり，媒体の熱特性及び線速ｖに対して計算を行った結果が図１２である。η(ｖ)は急峻な立ち上がりを持つ関数であることから，断熱，放熱の極限を除く現実の媒体においては累乗関数を用いて近似可能であることがわかる。つまり，式(6)に近似される。
【００３７】
【数３】
2013175248.tif 000005
【００３８】
ここで，β3は定数である。式(5)に式(6)を代入し，整理した係数をβ4とすることで式(7)が得られる。
【００３９】
【数４】
2013175248.tif 000006
【００４０】
記録時の媒体のピーク温度は，温度上昇量ΔＴと室温Ｔrtの和と近似され，記録マークはこのピーク温度と記録時の温度分布に基づいて形成されることが分かる。ここで，照射レーザによる媒体の温度分布をシミュレーションした結果が図１３である。図中には２ｘと１２ｘの場合について示してあり，８Ｔマークをマルチパルスで記録した場合の例である。また，各速度の温度分布はピーク温度を用いて規格化してある。ここから，記録速度によらずピーク温度で規格化した温度分布はほぼ一定と見なすことができることが分かる。従って，各記録速度で同じサイズのマークを形成するには，ピーク温度を一定にする必要があることが分かる。つまり，定数ΔＴ，β4を用いた式(7)が常に成立するように，記録パワーと記録速度は制御される必要がある。
【００４１】
ここで，式(7)を変形し，定数をα1にまとめた結果が式(1)である。また，式(7)において，記録パワーのオフセットを考慮し，最適記録パワーを（Ｐ＋定数）とした一般形が式(2)である。そのため，式(1)，(2)が記録速度と最適記録パワーの関係を表す近似式であることが分かる。
【００４２】
さらに，２つの記録速度ｖ１，ｖにおける最適記録パワーＰ１，Ｐの比をとった結果が式(3)である。また，式(3)を一般形に拡張し，定数項のオフセットを加えた式が式(4)である。ここから，式(3)，(4)が記録速度比と最適記録パワー比の関係を表す近似式であることが分かる。
【００４３】
以上の理論解析から，記録速度と最適記録パワーの関係及び記録速度比と最適記録パワー比の関係は式(1)〜(4)を用いて近似され，これらのパラメータを決定することで近似式が決定可能であることが分かる。ここで，近似式(1)，(2)のパラメータ算出は，各式で図１０の関係をフィッティングすればよい。また，式(3)，(4)の近似式のパラメータ算出は，図１１の関係をフィッティングすればよい。式(1)〜(4)を用いたフィッティング方法としては，記録速度と最適記録パワーの関係及び記録速度比と最適記録パワー比の関係と近似式の誤差の二乗和が最も小さくなるように行う方法がある。ここで，式(1)に関しては，両辺の対数をとると，記録パワーの対数と記録速度の対数は比例関係となり，近似直線の傾きは次数ｎ，ｙ切片は係数α1の対数に相当する。さらに，式(3)に関しては，両辺の対数をとると，記録パワー比の対数と記録速度比の対数は比例関係となり，近似直線の傾きは次数ｎに相当する。従って，近似式に式(1)，(3)を用いた場合は直線近似を用いた簡易なフィッティング方法が利用可能である。
【００４４】
本実施例では，近似式として式(1)を用いることとした。図１０の記録速度の対数と最適記録パワーの対数を直線近似した結果を図１４に示す。その結果，式(1)のｎは０．５，α1の対数は０．６３と決定された。パラメータを決定した式(1)に記録速度を代入して算出される記録パワーＰｗをプロットした結果を図１５に示す。図中には，各記録速度において求めた最適記録パワーも示してあり，式(1)から算出される記録パワーは最適記録パワーで一致していることが確認できる。この算出した記録パワーを用いて，各記録速度で記録を行った場合の記録信号品質を図１６に示す。ここから，本記録パワー調整を用いることで各記録速度において最適な記録が実現できていることが確認できた。
【００４５】
図６のステップＳ１１における近似式のパラメータ算出が終了したので，次いで近似式に基づいて記録パワー調整を行うＣＡＶ記録を開始した（Ｓ１２）。記録パワー調整は，パラメータを決定した式(1)に現在の記録速度を代入して現在の記録パワーを算出することで行った。この方法では記録パワーを連続的に変化させることができるので，ＣＡＶ記録においても記録パワーを適用する領域を分ける必要が無い。本記録パワー調整方法を用いてディスク全面にＣＡＶ記録を行った結果を図１７に示す。記録信号品質は全ての半径で良好であり，本記録パワー調整によって高速記録及び良好な信号品質を与えるＣＡＶ記録が実現できていることが確認できた。
【００４６】
本実施例では図６のステップＳ１０及びＳ１１によってパワー調整方法や近似式のパラメータ決定を行ったが，これらを図５の記憶部に記憶させておくことで，次回の記録においてステップＳ１０及びＳ１１を省略することが可能となる。また，これらのパラメータを予め図１８に示す光ディスク１００の管理領域１０１内のＤＩ（Disc Information）１０２に保持しておくことで，以降の記録において図６に示したステップＳ１０及びＳ１１を省略でき，記録開始Ｓ１２までの時間を短くすることが可能である。このためには，予めディスク製造元がパワー調整方法や近似式のパラメータ，基準となる記録速度，基準となる最適記録パワーを図６のＳ１０及びＳ１１と同様な手段で決定し，管理領域内のＤＩ１０２に記憶させておくことが望ましい。また，光ディスク装置にてこれらパラメータを決定した場合は，管理領域１０１に記憶させておくか，若しくは光ディスク装置の記憶部に記憶させておくことで，必要なときにそれを読み出して利用することができ，記録パワー調整を短時間で実施可能となる。
【００４７】
また，本実施例ではＰｗとＰｓの比を一定として記録パワーＰｗを制御したが，図９からＰｗ，Ｐｓ，Ｐｂの比を一定としても最適な記録信号品質が得られることが分かっている。そのため，記録パワー調整で制御する記録パワーをＰｗ，Ｐｓ，Ｐｂとしてもよい。このように，制御対象とする記録パワーは媒体の特性に基づき，任意に決めればよい。
【００４８】
［実施例２］
本実施例では，近似式として式(3)を用いてＣＡＶ記録の記録パワー調整を行った結果を述べる。変更していない部分に関しては，実施例１及び実施例１に関わる他の実施例と同様であるため，ここでは詳細な説明を省略する。
【００４９】
図１１の記録速度比の対数と最適記録パワー比の対数を直線近似した結果を図１９に示す。その結果，式(3)のｎは０．５と決定された。式(3)における基準記録速度ｖ１は２ｘ，２ｘの記録パワーＰ１は６ｍＷとした。式(3)に記録速度を代入して算出した記録パワーＰｗをプロットした結果は図１５と同様であり，算出した記録パワーは最適記録パワーと一致する。
【００５０】
本記録パワー調整方法を用いてＣＡＶ記録を行った結果，図１７と同様な結果が得られ，本記録パワー調整方法を用いることで，高速記録及び良好な信号品質を与えるＣＡＶ記録が実現できることを確認した。
【００５１】
［実施例３］
本実施例では，近似式として式(2)を用いてＣＡＶ記録の記録パワー調整を行った結果を述べる。変更していない部分に関しては，実施例１及び実施例１に関わる他の実施例と同様であるため，ここでは詳細な説明を省略する。
【００５２】
図１０の記録速度と最適記録パワーの関係を式(2)でフィッティングし，式(2)のパラメータを決定した。フィッティングはデータと式(2)の二乗誤差の和が最小となるように各パラメータを調整した。具体的には，測定した記録速度と最適記録パワーを（ｖｉ，Ｐｉ）（ｉ＝１，２，３・・・；測定点の指標）とし，各記録速度ｖｉにおいて近似式から算出される最適記録パワーα1×ｖｉn＋α2とＰｉとの差の二乗を算出し，全ての点の差の二乗の和が最小となるように，近似式のパラメータα1，ｎ，α2を決定した。その結果，ｎは０．５，α1は４．２７，α2は０と決定された。式(2)に記録速度を代入して算出した記録パワーＰｗをプロットした結果は図１５と同様であり，算出した記録パワーは最適記録パワーと一致する。
【００５３】
本記録パワー調整方法を用いてＣＡＶ記録を行った結果，図１７と同様な結果がえられ，本記録パワー調整方法を用いることで，高速記録及び良好な信号品質を与えるＣＡＶ記録が実現できることを確認した。
【００５４】
［実施例４］
本実施例では，近似式として式(4)を用いてＣＡＶ記録の記録パワー調整を行った結果を述べる。変更していない部分に関しては，実施例１及び実施例１に関わる他の実施例と同様であるため，ここでは詳細な説明を省略する。
【００５５】
図１１の記録速度比と最適記録パワー比の関係を式(4)でフィッティングし，式(4)のパラメータを決定した。フィッティングはデータと式(4)の二乗誤差の和が最小となるように各パラメータを調整した。具体的には，測定した記録速度比と最適記録パワー比を（ｖｉ／ｖ１，Ｐｉ／Ｐ１）（ｉ＝２，３・・・；測定点の指標）とし，各記録速度比ｖｉ／ｖ１において近似式から算出される最適記録パワー比（ｖｉ／ｖ１）n＋α3とＰｉ／Ｐ１との差の二乗を算出し，全ての点の差の二乗の和が最小となるように，近似式のパラメータｎ，α3を決定した。その結果，ｎは０．５，α3は０と決定された。式(4)における基準記録速度ｖ１は２ｘ，２ｘの記録パワーＰ１は６ｍＷとした。式(4)に記録速度を代入して算出した記録パワーＰｗをプロットした結果は図１５と同様であり，算出した記録パワーは最適記録パワーと一致する。
【００５６】
本記録パワー調整方法を用いてＣＡＶ記録を行った結果，図１７と同様な結果がえられ，本記録パワー調整方法を用いることで，高速記録及び良好な信号品質を与えるＣＡＶ記録が実現できることを確認した。
【００５７】
［実施例５］
本実施例では，実施例１とは熱特性の異なる光ディスクを用いて記録パワー調整によるＣＡＶ記録を行った結果について述べる。変更していない部分に関しては，実施例１及び実施例１に関わる他の実施例と同様であるため，詳細な説明は省略する。
【００５８】
先ず，図６のフローＳ１０に従って，各記録速度における最適記録パワーの算出を行った。記録波形のチャネルビット長１Ｔを記録速度に比例させることは共通として，マルチパルス，モノパルス，Ｌ型，キャッスル型の記録波形を用いて，各記録速度の最適記録パワーにおける再生信号品質（ｂＥＲ）を測定した結果を図２０に示す。図中には，各記録波形において，Ｐｗと比例させる記録パワーを変えた場合についても載せてある。図２０より，当該媒体において記録速度の変化に対しても良好な信号品質（ｂＥＲ＜10-5）を与えるパワー調整方法は以下と分かる。
【００５９】
１．モノパルスで，ＰｗとＰｓの比を固定
２．Ｌ型で，ＰｗとＰｍとＰｓの比を固定
３．キャッスル型で，ＰｗとＰｍの比を固定
４．キャッスル型で，ＰｗとＰｍとＰｓの比を固定
本実施例では３のパワー調整方法を用いて記録パワー調整を実施した。
【００６０】
次いで，図６のＳ１１に従い，決定したパワー調整方法において，記録速度と最適記録パワーの関係をプロットし，式(1)を用いてフィッティングを行い，式(1)のパラメータα１，ｎの算出を行った。フィッティングではデータと式(1)の二乗誤差の和が最小となるように各パラメータを決定した。この方法以外に，実施例１と同様にデータの最適記録パワーの対数と，記録速度の対数を直線近似し，近似直線の傾きをｎ，ｙ切片をα１の対数と算出してもよい。算出したｎは０．７５，α1は０．５４と決定された。
【００６１】
パラメータを決定した式(1)を用い，ディスク全面に対してＣＡＶ記録を行った（図６，Ｓ１２）。その結果を図２１の式(1)に示す。上記記録パワー調整方法を用いた場合の記録信号品質は半径に依らず良好であることから，上記記録パワー調整によってＣＡＶ記録が実現できることを確認できた。
【００６２】
本実施例では式(1)を用いて記録パワー調整を行ったが，式(2)，(3)，(4)を記録速度と最適記録パワーの近似式として用いることも可能である。図２１には，式(2)〜(4)を用いて記録パワー調整を実施した場合の各半径位置における記録信号品質の測定結果も示してある。各式のパラメータ算出方法は，実施例２〜４にそれぞれ記載される方法と同様であるため説明を省略する。算出されるパラメータに関し，式(1)ではｎ＝０．７５，α1＝０．５４であったが，式(2)ではｎ＝０．７，α1＝０．６６，α2＝−０．２であり，若干近似式に差異が見られた。この違いは式(3)（ｎ＝０．５）と式(4)（ｎ＝０．５２，α3＝−０．１）についても見られた。これは，本実施例の媒体では，式(1)や式(3)では近似精度が悪く，式(2)や式(4)のようにオフセットに相当するパラメータを考慮する必要があることを示している。図２１における各式での記録信号品質のばらつきは，近似精度に起因するものである。しかし，ばらつきは非常に小さいことから，本実施例の媒体に対しては，式(1)〜(4)の何れを用いても良好なＣＡＶ記録が実現できることが分かる。
【００６３】
ここで，本実施例ではパワー調整方法として上述の１の方法を用いたが，他の１，２，４を用いた場合においても上述と同様な記録パワー調整が実現され，高速なＣＡＶ記録が実現可能である。
【００６４】
また，本実施例では図６のステップＳ１０及びＳ１１によってパワー調整方法や近似式のパラメータ決定を行ったが，これらを図５の記憶部に記憶させておくことで，次回の記録においてステップＳ１０及びＳ１１を省略することが可能となる。また，これらのパラメータを予め図１８に示す光ディスク１００の管理領域１０１内のＤＩ（Disc Information）１０２に保持しておくことで，以降の記録において図６に示したステップＳ１０及びＳ１１を省略でき，記録開始Ｓ１２までの時間を短くすることが可能である。このためには，予めディスク製造元がパワー調整方法や近似式のパラメータ，基準となる記録速度，基準となる最適記録パワーを図６のＳ１０及びＳ１１と同様な手段で決定し，管理領域内のＤＩ１０２に記憶させておくことが望ましい。また，光ディスク装置にてこれらパラメータを決定した場合は，管理領域１０１に記憶させておくか，若しくは光ディスク装置の記憶部に記憶させておくことで，必要なときにそれを読み出して利用することができ，記録パワー調整を短時間で実施可能となる。
【００６５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６６】
１０：光ディスク
１２：スピンドルモータ
１４：光ピックアップ部
１６：レーザ光
１８：エンコーダ
２０：ＬＤ駆動部
２２：制御部
２４：レベル算出部及びＲＦ信号処理部
２６：デコーダ
１００：光ディスク
１０１：管理領域
１０２：ＤＩ（Disc Information）
【図１Ａ】
2013175248.tif 000007
【図１Ｂ】
2013175248.tif 000008
【図２】
2013175248.tif 000009
【図３】
2013175248.tif 000010
【図４】
2013175248.tif 000011
【図５】
2013175248.tif 000012
【図６】
2013175248.tif 000013
【図７】
2013175248.tif 000014
【図８】
2013175248.tif 000015
【図９】
2013175248.tif 000016
【図１０】
2013175248.tif 000017
【図１１】
2013175248.tif 000018
【図１２】
2013175248.tif 000019
【図１３】
2013175248.tif 000020
【図１４】
2013175248.tif 000021
【図１５】
2013175248.tif 000022
【図１６】
2013175248.tif 000023
【図１７】
2013175248.tif 000024
【図１８】
2013175248.tif 000025
【図１９】
2013175248.tif 000026
【図２０】
2013175248.tif 000027
【図２１】
2013175248.tif 000028